(57)【要約】【課題】増幅器から送出された増幅信号の波形に歪みが生じていても、簡易な構成によって、光信号の伝送速度に最適な帰還率に収束させることが可能な、光受信回路及びその制御方法を提供することを目的とする。【解決手段】本発明の光受信回路は、光信号を電気信号に変換する受光素子と、電気信号を増幅し、増幅信号を送出する増幅器と、増幅信号の一部を増幅器の入力側に帰還する負帰還回路と、増幅信号が入力される振幅判定器と、送出手段により、増幅信号の振幅が一定でないことを示す判定結果が送出された場合、負帰還回路の帰還率を増加させる制御を行い、送出手段により、増幅信号の振幅が一定であることを示す判定結果が送出された場合、負帰還回路の帰還率を減少させる制御を行う帰還回路制御器と、を有する。【選択図】      図１０
2011023936.tif 000002
【特許請求の範囲】
【請求項１】
入力信号の振幅をビットごとに検出する検出手段と、
前記入力信号の振幅が一定であるか否かを判定する判定手段と、
前記判定手段による判定結果を送出する送出手段と、を備えることを特徴とする振幅判定器。
【請求項２】
前記検出手段は、前記入力信号のデータの立ち上がりに同期したパルス信号を送出するパルス発生器と、
前記パルス信号を受信した場合に前記入力信号の振幅を検出する振幅検出器と、を有し、
前記判定手段は、前記振幅検出器が検出した前記入力信号の振幅が一定であるか否かを判定し、
前記送出手段は、前記判定手段により前記入力信号の振幅は一定であると判定された場合、振幅安定信号を送出し、前記判定手段により前記入力信号の振幅は一定でないと判定された場合、振幅不安定信号を送出することを特徴とする請求項１に記載の振幅判定器。
【請求項３】
前記検出手段は、前記入力信号の振幅と、所定の振幅と、の大小関係を示す比較信号をそれぞれ送出する複数のコンパレータ回路を有し、
前記判定手段は、前記比較信号に基づいて、前記入力信号の振幅が一定であるか否かを判定し、
前記送出手段は、前記判定手段により前記入力信号の振幅が一定であると判定された場合、振幅安定信号を送出し、前記判定手段により前記入力信号の振幅が一定でないと判定された場合、振幅不安定信号を送出することを特徴とする請求項１に記載の振幅判定器。
【請求項４】
光信号を電気信号に変換する受光素子と、
前記電気信号を増幅し、増幅信号を送出する増幅器と、
前記増幅信号の一部を前記増幅器の入力側に帰還する負帰還回路と、
前記増幅信号が入力される、請求項１乃至３のいずれか一項に記載の振幅判定器と、
前記送出手段により、前記増幅信号の振幅が一定であることを示す判定結果が送出された場合、前記負帰還回路の帰還率を減少させる制御を行い、前記送出手段により、前記増幅信号の振幅が一定でないことを示す判定結果が送出された場合、前記帰還率を増加させる制御を行う帰還回路制御器と、を有することを特徴とする光受信回路。
【請求項５】
前記増幅信号が入力され、前記増幅信号の振幅が所定の値未満である場合にアラームを発生し、前記増幅信号の振幅が前記所定の値以上である場合にはアラームを停止する、アラーム発生器を有し、
前記帰還回路制御器は、前記アラームを受信した場合には前記帰還率を減少させる制御を行うことを特徴とする請求項４に記載の光受信回路。
【請求項６】
前記光信号の入力が停止した場合、前記帰還回路制御器は、前記帰還率の制御を停止することを特徴とする請求項４または５に記載の光受信回路。
【請求項７】
前記電気信号の有無の検出を行う受光電流モニタを有し、
前記受光電流モニタは、前記検出の結果を前記帰還回路制御器へ送出し、
前記帰還回路制御器は、前記検出の結果が、前記電気信号がないことを示す場合、前記帰還率の制御を停止することを特徴とする請求項６に記載の光受信回路。
【請求項８】
入力信号の振幅をビットごとに検出する振幅検出工程と、
前記振幅検出工程に基づいて、前記入力信号の振幅が一定であるか否かを判定する振幅判定工程と、
前記振幅判定工程による判定結果を送出する結果送出工程と、を有することを特徴とする振幅判定方法。
【請求項９】
前記振幅判定工程は、前記入力信号のデータの立ち上がりに同期したパルス信号を送出するパルス発生工程と、前記パルス信号を受信した場合に前記入力信号の振幅を検出する振幅検出工程と、を有し、
前記振幅判定工程は、前記振幅検出工程に基づいて、前記入力信号の振幅が一定であるか否かの判定を行い、
前記結果送出工程は、前記振幅判定工程により、前記入力信号の振幅が一定であると判定された場合、振幅安定信号を送出し、前記振幅判定工程により、前記入力信号の振幅が一定でないと判定された場合、振幅不安定信号を送出することを特徴とする請求項８に記載の振幅判定方法。
【請求項１０】
前記振幅判定工程は、前記入力信号の振幅と、所定の振幅と、の大小関係を示す比較信号を送出する比較工程を有し、
前記振幅判定工程は、前記比較信号に基づいて、前記入力信号の振幅が一定であるか否かを判定し、
前記結果送出工程は、前記振幅判定工程により、前記入力信号の振幅が一定であると判定された場合、振幅安定信号を送出し、前記振幅判定工程により、前記入力信号の振幅が一定でないと判定された場合、振幅不安定信号を送出することを特徴とする請求項８に記載の振幅判定方法。
【請求項１１】
光信号を電気信号に変換する光電変換工程と、
前記電気信号を増幅し、増幅信号を送出する増幅工程と、
前記増幅信号の一部を負帰還する負帰還工程と、
請求項８乃至１０のいずれか一項に記載の振幅判定方法と、
前記結果送出工程により、前記増幅信号の振幅が一定であることを示す判定結果が送出された場合、前記帰還工程の帰還率を減少させる制御を行い、前記結果送出工程により、前記増幅信号の振幅が一定でないことを示す判定結果が送出された場合には、前記帰還工程の帰還率を増加させる制御を行う帰還率制御工程と、を有することを特徴とする光受信回路の制御方法。
【請求項１２】
前記増幅信号が入力され、前記増幅信号の振幅が所定の値未満である場合にアラームを発生し、前記増幅信号の振幅が所定の値以上である場合には前記アラームを停止する、アラーム発生工程を有し、
前記帰還率制御工程は、前記アラームが発生した場合には前記帰還率を減少させる制御を行うことを特徴とする請求項１１に記載の光受信回路の制御方法。
【請求項１３】
前記光信号が停止した場合、前記帰還率制御工程は、前記帰還率の制御を停止することを特徴とする請求項１１または１２に記載の光受信回路の制御方法。
【請求項１４】
前記電気信号の有無の検出を行う電気検出工程を有し、
前記電気検出工程による前記検出の結果が、前記電気信号がないことを示す場合、前記帰還率制御工程は、前記帰還率の制御を停止することを特徴とする請求項１３に記載の光受信回路の制御方法。
【発明の詳細な説明】
【技術分野】
【０００１】
本発明は、光信号の伝送速度に応じて帰還率の制御を行う光受信回路に関する。
【背景技術】
【０００２】
光信号の伝送速度に応じて光受信器の高感度化を実現する光受信回路や、該光受信回路に搭載される前置増幅器が、例えば特許文献１や特許文献２に開示されている。
【０００３】
特許文献１に記載の前置増幅器を図１に示す。
【０００４】
図１に記載の前置増幅器は、受光素子１と、反転増幅器２と、帰還抵抗３と、可変等化フィルター４と、増幅器５と、伝送速度検出／制御回路６と、から構成される。反転増幅器２は、受光素子１からの電流信号を電圧信号に変換する。増幅器５は、可変等化フィルター４の損失を補償する。伝送速度検出／制御回路６は、伝送速度の検出及び帰還抵抗値の制御を行う。
【０００５】
受光素子１により受光された光信号は、電流信号に変換される。この電流信号は、反転増幅器２と帰還抵抗３により構成されるトランスインピーダンスアンプ（ＴＩＡ：Ｔｒａｎｓ−Ｉｍｐｅｄａｎｃｅ  Ａｍｐｌｉｆｉｅｒ）によって電圧信号に変換増幅される。その後、この電圧信号は、可変等化フィルター４を通過して、前置増幅器の出力信号として出力される。この出力信号は分岐され、増幅器５は、可変等化フィルター４の損失を補償するために、分岐された出力信号を増幅する。そして、増幅された出力信号は伝送速度検出／制御回路６へ入力される。伝送速度検出／制御回路６は入力された出力信号の伝送速度を算出する。そして、伝送速度検出／制御回路６は、出力信号を、算出した伝送速度に対応した制御用電圧信号に変換する。伝送速度検出／制御回路６は、この制御用電圧信号で帰還抵抗３の抵抗値を制御する。これにより、伝送速度に応じたＴＩＡの周波数帯域と雑音特性に設定される。
【０００６】
すなわち、特許文献１には、回路を交換することなく、光信号の伝送速度に応じて帰還抵抗値を変更することが開示されている。
【０００７】
しかしながら、特許文献１に記載の前置増幅器においては、帰還抵抗値を正しく制御できない、すなわち、帰還率を正しく制御できない場合が生じる。
【０００８】
これは、伝送速度検出／制御回路６が、光信号の正しい伝送速度を算出できない場合があるためである。すなわち、帰還抵抗３の帰還抵抗値と、光信号の伝送速度との組み合わせによっては、伝送速度検出／制御回路６は、正しい伝送速度を算出できない。その結果、伝送速度検出／制御回路６は、誤った伝送速度に基づいて帰還抵抗値を制御することになってしまう。そのため、帰還抵抗値を正しく制御できないのである。
【０００９】
以下に、伝送速度検出／制御回路６が正しい伝送速度を算出できない場合について具体的に述べる。
【００１０】
図２に、増幅器の利得周波数特性を示す。増幅器の帰還抵抗値が上がる程、帰還率は減少する。そのため、得られる利得は大きくなる一方で、光通信に適したフラットな帯域が減少する。逆に、増幅器の帰還抵抗値が下がる程、帰還率は増加する。そのため、得られる利得は小さくなる一方で、光通信に適したフラットな帯域は増加する。
【００１１】
図３に、光受信回路に入力される光信号の伝送速度と、増幅器の帰還抵抗値との組み合わせの例（Ａ）〜（Ｄ）を示す。なお、図３において帰還抵抗値が小の場合とは、帰還抵抗値が、伝送速度が２．５Ｇｂｐｓの光信号に適した帰還抵抗値となっていることを示す。また、帰還抵抗値が大の場合とは、帰還抵抗値が、伝送速度が１５６Ｍｂｐｓの光信号に適した帰還抵抗値となっていることを示す。
【００１２】
図３（Ｂ）、（Ｃ）の場合、帰還抵抗値が、光信号の伝送速度に対してそれぞれ適した値となっている。そのため、伝送速度検出／制御回路６は、光信号の正しい伝送速度を算出することができる。
【００１３】
しかしながら、図３（Ａ）、（Ｄ）の場合、伝送速度検出／制御回路６は正しい伝送速度を算出することができない。それぞれの理由について以下で説明する。
【００１４】
図３（Ａ）は、入力された光信号の伝送速度は１５６Ｍｂｐｓであり、帰還抵抗値は、伝送速度が２．５Ｇｂｐｓの光信号に適した値に設定されている状態を示す。本来、伝送速度が低い場合は、帰還抵抗値を大きくして帯域を狭めることで光入力が小さいときでも使用でき、伝送距離をのばすことができる。しかし、光入力が小さい伝送路にて帰還抵抗値が小さく設定されてしまうと、伝送速度を判別するのに十分な信号振幅が得られない。図３（Ａ）の場合、帰還抵抗値は、入力された光信号の伝送速度に対して小さ過ぎる。すなわち、入力された光信号の伝送速度に対して帰還率が大き過ぎる状態である。その結果、電圧信号の振幅は極端に小さくなり、伝送速度検出／制御回路６による正確な検出が可能な振幅に満たない。そのため、伝送速度検出／制御回路６は、正しい伝送速度を算出することができないのである。このような場合は、電圧信号の振幅が、伝送速度検出／制御回路６が検出可能な値に達するまで、帰還抵抗値を上げる必要がある。
【００１５】
図３（Ｄ）は、入力された光信号の伝送速度は２．５Ｇｂｐｓであり、帰還抵抗値は、伝送速度が１５６Ｍｂｐｓの光信号に適した値に設定されている状態を示す。このような場合、伝送速度に対して十分な帯域が得られず、電圧信号の波形にひずみが生じてしまう。そのため、伝送速度検出／制御回路６は、正しい伝送速度を算出することができない。このような場合は、電圧信号の波形に歪みが発生しない程度の帯域が得られるまで、帰還抵抗値を下げる必要がある。
【００１６】
以上のような理由により、特許文献１に記載の前置増幅器では、帰還率を正しく制御できない場合がある。すなわち、伝送速度検出／制御回路６は、増幅器５から出力される電圧信号の振幅が利得不足によって小さくなっていることや、電圧信号の波形に、帯域不足による歪みが生じていることを検出することができない。その結果、伝送速度の算出を誤ってしまい、帰還抵抗値を正しく制御できないのである。
【００１７】
次に、特許文献２に記載の光受信回路を図４に示す。図４に記載の光受信回路は、光信号の伝送速度の高低を判定するビットレート判定回路７と、電圧信号の強度が最小受光レベルを超えているか否かを判定するアラーム回路８とを備えている。アラーム回路８により、電圧信号の強度が最小受光レベル未満であると判定された場合には、光受信回路は強制的に低速モードに切り替わる。
【００１８】
このように、特許文献２に記載の光受信回路は、増幅器から出力された電圧信号が利得不足によって振幅が小さくなっている場合であっても、帰還率を正しく制御することができる。
【００１９】
すなわち、アラーム回路８は、入力される電圧信号が、利得不足によって振幅が小さくなっていることを検出することができる。そして、電圧信号の振幅が最小受光レベル以上となるように帰還抵抗値を制御した後、ビットレート判定回路７は伝送速度を算出する。そのため、ビットレート判定回路７は正しい伝送速度を算出することが可能となるので、帰還抵抗値を正しく制御することができるのである。
【００２０】
しかしながら、特許文献２に記載の光受信回路においても、図３（Ｄ）のように帯域不足によって電圧信号の波形に歪みが生じている場合は、帰還率を正しく制御することができない。すなわち、特許文献２に記載のビットレート判定回路７では、帯域不足によって電圧信号の波形に歪みが生じていることを検出することができない。そのため、波形が歪んでいる状態で伝送速度を判定することとなり、誤った判定をしてしまう。その結果、光受信回路は、帰還率を正しく制御することができないのである。
【００２１】
次に、特許文献３に記載の光受信回路に用いられるビットレート判定回路を図５に示す。図５に記載のビットレート判定回路は、第一の積分回路９と、ヒステリシス比較回路１０と、第二の積分回路１１と、比較回路１２と、参照電位入力端子１３と、出力端子１４とを備える。
【００２２】
第一積分回路９は、低周波帯の一部を透過する。そして、その後段に、小振幅では動作せず大振幅のときに動作するヒステリシス比較回路１０を接続する。次に、ヒステリシス比較回路１０からの出力を、より帯域の低い第二の積分回路１１で平滑化する。これにより、高いビットレートに対して低い電位、低いビットレートに対して高い電位を得る。この出力電位を比較回路に入力し、参照電位と比較判定させることで、ビットレートの高低の判定を行う。そして、判定結果に基づいて、光受信回路の帰還抵抗値を制御している。
【００２３】
すなわち、特許文献３に記載のビットレート判定回路は、電圧信号の低周波数成分の有無を判定材料として、ビットレートの高低を判定している。そのため、ビットレート判定回路に入力される信号が高周波数成分を失っていたとしてもビットレートの高低を正しく判定することができる。
【００２４】
このように、特許文献３に記載の光受信回路は、帯域不足により電圧信号の波形に歪みが生じている場合であっても、帰還率を正しく制御することができる。
【先行技術文献】
【特許文献】
【００２５】
【特許文献１】特開２００７−００５８７５号公報
【特許文献２】国際公開第２００５／０７８９６９号
【特許文献３】国際公開第２００５／０７８９２７号
【発明の概要】
【発明が解決しようとする課題】
【００２６】
しかしながら、特許文献３に記載の光受信回路を用いた場合、ビットレートを判定するために、積分回路、ヒステリシス比較回路、比較回路と、多くの構成が必要となり、装置が非常に複雑化してしまう。
【００２７】
更に、特許文献３に記載のビットレート判定回路は、比較回路における参照電圧との比較によって、ビットレートの高低を判定している。すなわち、ビットレートを、一定値を基準として「高」と「低」に分類することしかできない。そのため、入力された光信号の信号帯域に対して、光受信回路の帯域が適切であるかどうかについては分からない。更に、帰還率の細かい制御を実現するためには、一つの光受信回路に対して複数のビットレート判定回路を用いなければならなくなってしまう。そのため、特許文献３に記載の光受信回路では、光信号の伝送速度に最適な帰還率に収束させることはできない。
【００２８】
以上のように、特許文献１、２及び３に記載の前置増幅器及び光受信回路を用いた場合、帯域不足により電圧信号の波形に歪みが生じていることを検出することはできない。また、電圧信号の波形に歪みが生じている場合、光信号の伝送速度に最適な帰還率に収束させることができない。
【００２９】
本発明は、このような問題に鑑み、入力信号の波形に歪みが生じているか否かを判定することが可能な、振幅判定器及び振幅判定方法を提供することを目的とする。
【００３０】
また、増幅器から送出された増幅信号の波形に歪みが生じていても、簡易な構成によって、光信号の伝送速度に最適な帰還率に収束させることが可能な、光受信回路及びその制御方法を提供することを目的とする。
【課題を解決するための手段】
【００３１】
本発明の振幅判定器は、入力信号の振幅をビットごとに検出する検出手段と、入力信号の振幅が一定であるか否かを判定する判定手段と、判定手段による判定結果を送出する送出手段と、を備える。
【００３２】
また、本発明の光受信回路は、光信号を電気信号に変換する受光素子と、電気信号を増幅し、増幅信号を送出する増幅器と、増幅信号の一部を増幅器の入力側に帰還する負帰還回路と、増幅信号が入力される振幅判定器と、送出手段により、増幅信号の振幅が一定でないことを示す判定結果が送出された場合、負帰還回路の帰還率を増加させる制御を行い、送出手段により、増幅信号の振幅が一定であることを示す判定結果が送出された場合、負帰還回路の帰還率を減少させる制御を行う帰還回路制御器と、を有する。
【００３３】
また、本発明の振幅判定方法は、入力信号の振幅をビットごとに検出する振幅検出工程と、振幅検出工程に基づいて、入力信号の振幅が一定であるか否かを判定する振幅判定工程と、振幅判定工程による判定結果を送出する結果送出工程と、を有する。
【００３４】
また、本発明の光受信回路の制御方法は、光信号を電気信号に変換する光電変換工程と、電気信号を増幅し、増幅信号を送出する増幅工程と、増幅信号の一部を負帰還する負帰還工程と、振幅検出工程、振幅判定工程、及び結果送出工程と、増幅信号の振幅が一定でない場合には、帰還工程の帰還率を増加させる制御を行い、増幅信号の振幅が一定である場合には、帰還工程の帰還率を減少させる制御を行う帰還率制御工程と、を有する。
【発明の効果】
【００３５】
本発明の振幅判定器は、入力信号の波形に、歪みが生じているか否かを判定することを可能とする。
【００３６】
また、本発明の光受信回路は、増幅器から送出された増幅信号の波形に歪みが生じていても、簡易な構成によって、光信号の伝送速度に最適な帰還率に収束させることを可能とする。
【図面の簡単な説明】
【００３７】
【図１】本発明に関連する光受信回路の一例を示す図である。
【図２】増幅器の利得周波数特性を示す図である。
【図３】帰還抵抗値と伝送速度との関係を示す図である。
【図４】本発明に関連する光受信回路の一例を示す図である。
【図５】本発明に関連するビットレート判定回路の一例を示す図である。
【図６】本発明の第１の実施形態における振幅判定器の構造の一例を示す図である。
【図７】本発明の第２の実施形態における振幅判定器の構造の一例を示す図である。
【図８】本発明の第３の実施形態における振幅判定器の構造の一例を示す図である。
【図９】本発明の第３の実施形態における振幅判定器の検出結果の一例を示す図である。
【図１０】本発明の第４の実施形態における光受信回路の構造の一例を示す図である。
【図１１】本発明の第４の実施形態における光受信回路の動作の一例を示す図である。
【図１２】本発明の第５の実施形態における光受信回路の構造の一例を示す図である。
【図１３】本発明の第５の実施形態における光受信回路の動作の一例を示す図である。
【図１４】本発明の第６の実施形態における光受信回路の構造の一例を示す図である。
【図１５】本発明の第６の実施形態における光受信回路の動作の一例を示す図である。
【発明を実施するための形態】
【００３８】
本発明の実施の形態について図面を参照しながら説明する。しかしながら、係る形態は本発明の技術的範囲を限定するものではない。
【００３９】
[第１の実施形態]
本発明の第１の実施形態の構成を図６に示す。
【００４０】
本実施形態における振幅判定器２０は、検出部２１と、判定部２２と、送出部２３を備えている。それぞれの機能及び動作について説明する。
【００４１】
始めに、振幅判定器２０に入力信号が入力されると、検出部２１は、入力信号の振幅をビットごとに検出する。なお、入力信号としては、例えば、電圧信号や電流信号などが挙げられる。
【００４２】
次に判定部２２は、検出部２１によって検出された入力信号の振幅が一定であるか否かを判定する。
【００４３】
なお、入力信号の振幅が一定でないということは、入力信号の波形に歪みが生じていることを示す。一方、入力信号の振幅が一定であるということは、入力信号の波形に歪みが生じていないことを示す。
【００４４】
そして、送出部２３は、判定部２２の判定結果を示す信号を、振幅判定器２０の外部に送出する。
【００４５】
以上の構成により、本実施形態における振幅判定器２０は、入力信号の波形に、歪みが生じているか否かを判定することができる。
【００４６】
また、本実施形態においては検出部２１、判定部２２、及び送出部２３を、それぞれ異なる部位として記載したが、これに限らない。すなわち、１つの部位に複数の機能を持たせることとしても良い。例えば、１つの部位が判定及びその判定結果の送出を行うこととしても良い。同様に、１つの部位が検出及び判定を行うこととしても良い。
【００４７】
[第２の実施形態]
本発明の第２の実施形態の構成を図７に示す。
【００４８】
本実施形態における振幅判定器２０Ａは、パルス発生器２４と、振幅検出器２５とを備えている。
【００４９】
次に、本実施形態における振幅判定器２０Ａの動作について説明する。なお、本実施形態において、振幅判定器２０Ａに入力される入力信号は、電圧信号であるとする。
【００５０】
パルス発生器２４は、入力される電圧信号の波形データの立ち上がりに同期したパルス信号を発生させ、振幅検出器２５へ送出する。パルス発生器２４としては、例えば単安定マルチバイブレータを用いても良い。
【００５１】
振幅検出器２５は、パルス発生器２４から送出されたパルス信号の受信のタイミングに併せて、入力された電圧信号の振幅を検出する。
【００５２】
そして、振幅検出器２５は、自身が検出した電圧信号の振幅が一定であるか否かを判定する。なお、電圧信号の振幅が一定でないということは、電圧信号の波形に歪みが生じていることを示す。一方、電圧信号の振幅が一定であるということは、電圧信号の波形に歪みが生じていないことを示す。
【００５３】
電圧信号の振幅が一定であるか否かの判定としては、例えば、あるパルス信号の受信に併せて検出した電圧信号の振幅と、その直前のパルス信号の受信に併せて検出した電圧信号の振幅とが一致すれば、電圧信号の振幅が一定であると判定するとしても良い。なお、完全に一致してなくても、電圧信号の波形に歪みが生じていないと判断される程度の違いであれば、電圧信号の振幅が一定であると判定することとしても良い。
【００５４】
そして、振幅検出器２５は、入力された電圧信号の振幅が一定でないと判定した場合、振幅不安定信号を送出する。一方、入力された電圧信号の振幅が一定であると判定した場合、振幅安定信号を送出する。
【００５５】
以上のように、本実施形態の振幅判定器２０Ａは、入力された電圧信号の振幅が一定であるか否かを判定することができるため、入力された電圧信号の波形に歪みが生じているか否かを判定することが可能となる。
【００５６】
なお、電圧信号の振幅が一定でない原因が、電圧信号の波形に歪みが生じているためではなく、単に、その瞬間に光信号の伝送速度が変化したためという場合も考えられる。
【００５７】
この場合、一時的に電圧信号の振幅に変化が生じるものの、変化後の電圧信号の波形に歪みがなければ、再び電圧信号の振幅は一定になるはずである。
【００５８】
そのため、振幅検出器２５が、電圧信号の振幅が一定であるか否かの判定を連続的に行うことによって、振幅不安定信号はすぐに振幅安定信号に切り替わることになり、振幅不安定信号を送り続けることはない。
【００５９】
あるいは、電圧信号の伝送速度が変化しただけなのか、電圧信号の波形に歪みが生じているのかを判断するために、振幅検出器２５は、１回の判定だけでは振幅安定信号あるいは振幅不安定信号を送出しないとしてもよい。
【００６０】
すなわち、連続的に複数回、電圧信号の振幅が一定であるか否かの判定を行った上で、いずれの判定においても振幅が不安定であるという判定結果になった場合にのみ、波形に歪みが生じていると判断し、振幅不安定信号を送出するようにしても良い。
【００６１】
なお、本実施形態においては、振幅検出器２５が電圧信号の振幅が一定であるか否かの判定を行い、振幅安定信号あるいは振幅不安定信号を送出することとしたが、これに限らない。
【００６２】
すなわち、振幅検出器２５は、電圧の検出結果を送出するのみとしても良い。この場合、電圧の検出結果を受信して、電圧信号の振幅が一定であるか否かの判定を行い、該判定に基づいて振幅安定信号あるいは振幅不安定信号を送出する判定回路を更に設けても良い。あるいは、後に説明する帰還回路制御器３８に、そのような判定回路を設けても良い。
【００６３】
[第３の実施形態]
本発明の第３の実施形態の構成を、図８に示す。
本実施形態における振幅判定器２０Ｂは、複数のコンパレータ回路２６１〜２６Ｍと、参照電気生成回路２７と、判定器２８と、パルス発生器３０を有する。参照電気生成回路２７は、コンパレータ回路２６１〜２６Ｍに入力される参照電圧を生成する。判定器２８は、コンパレータ回路２６１〜２６Ｍの出力に基づいて、電圧信号の振幅が一定であるか否かを判定する。
【００６４】
また、参照電気生成回路２７は、抵抗値のほぼ等しい複数の抵抗２９１〜２９Ｍが直列接続されて構成されている。また、その直列接続された抵抗２９１〜２９Ｍの一端には正側基準電圧３１が印加され、他端には負側基準電圧３２が印加されている。抵抗２９１及び２９２間、抵抗２９２及び２９３間、抵抗２９Ｍ−１及び２９Ｍ間の電圧は、それぞれ、正側基準電圧３１から負側基準電圧３２までの間で一定電圧間隔の複数の参照電圧Ｖ１〜ＶＭとなっている。
【００６５】
次に、本実施形態における振幅判定器２０Ｂの動作について説明する。なお、振幅判定器２０Ｂに入力される入力信号は、電圧信号であるとする。
【００６６】
振幅判定器２０Ｂに入力された電圧信号は、振幅判定器２０Ｂの複数のコンパレータ回路２６１〜２６Ｍにそれぞれ入力される。
【００６７】
複数のコンパレータ回路２６１〜２６Ｍは、それぞれに対応する参照電圧Ｖ１〜ＶＭと、入力された電圧信号との振幅の大小を比較する比較工程を行う。そして、比較工程による比較結果を示す比較信号を、論理レベルにまで増幅して判定器２８へ送出する。具体的には、例えば、参照電圧の振幅よりも入力された電圧信号の振幅の方が大きい場合には、比較信号としてＨｉｇｈ信号を送出する。そして、参照電圧の振幅よりも入力された電圧信号の振幅の方が小さい場合には、比較信号としてＬｏｗ信号を送出する。
【００６８】
また、パルス発生器３０は、入力される電圧信号の波形データの立ち上がりに同期したパルス信号を発生させ、判定器２８へ送出する。パルス発生器３０としては、例えば単安定マルチバイブレータを用いても良い。
【００６９】
そして、判定器２８は、パルス発生器３０から入力されたパルス信号の入力タイミングに合わせて、複数のコンパレータ回路２６１〜２６Ｍから送出された比較信号を検出し、比較結果が一定であるか否かを判定する。
【００７０】
比較結果が一定であるか否かは、例えば、その時検出した比較信号と、直前に検出した比較信号とを比較し、両者が一致しているか否かで判定する。例えば、図９に示すように、今回検出した比較信号が、コンパレータ回路２６１〜２６Ｎ＋１がＨｉｇｈ信号であり、コンパレータ回路２６Ｎ＋２〜２６ＭがＬｏｗ信号あったとする。そして、その直前に検出した比較信号が、コンパレータ回路２６１〜２６ＮまでがＨｉｇｈ信号であり、コンパレータ回路２６Ｎ＋１〜２６ＭがＬｏｗ信号あったとする。この場合、コンパレータ回路２６Ｎ＋１からの比較信号が今回のものと直前のものとで異なる。そのため、判定器２８は、比較結果が一定でないと判定する。
【００７１】
ここで、今回の比較結果において、コンパレータ回路２６Ｎ＋1とコンパレータ回路２６Ｎ＋２との間で比較信号がＨｉｇｈ信号からＬｏｗ信号に変更しているということは、入力された電圧信号は、ＶＮ＋１より大きく、ＶＮ＋２未満であるということになる。
【００７２】
また、直前の比較結果において、コンパレータ回路２６Ｎとコンパレータ回路２６Ｎ＋１との間で比較信号がＨｉｇｈ信号からＬｏｗ信号に変更しているということは、入力された電圧信号は、ＶＮより大きく、ＶＮ＋１未満であるということになる。
【００７３】
すなわち、比較結果が一定でないということは、入力された電圧信号の振幅の範囲が変更したということになる。
【００７４】
従って、比較結果が一定でない、すなわち、判定器２８によって検出された複数の比較信号と、その直前に検出された複数の比較信号とがそれぞれ一致しないということは、電圧信号の振幅が一定でないことを示す。
【００７５】
一方、比較結果が一定である、すなわち、判定器２８によって検出された複数の比較信号と、その直前に送出された複数の比較信号とがそれぞれ一致するということは、電圧信号の振幅が一定であることを示す。
【００７６】
次に、判定器２８が、複数のコンパレータ回路２６１〜２６Ｍの比較結果が一定であると判定した場合、及び一定でないと判定した場合の、その後の動作についてそれぞれ説明する。
【００７７】
判定器２８が、複数のコンパレータ回路２６１〜２６Ｍの比較結果が一定であると判定した場合、判定器２８は、電圧信号の振幅が一定であることを示す振幅安定信号を送出する。
【００７８】
一方、判定器２８が、複数のコンパレータ回路２６１〜２６Ｍの比較結果が一定でないと判定した場合、比較結果が一定でないことを示す振幅不安定信号を送出する。
【００７９】
以上のように、本実施形態の振幅判定器２０Ｂは、入力された電圧信号の振幅が一定であるか否かを判定することができるため、入力された電圧信号の波形に歪みが生じているか否かを判定することが可能となる。
【００８０】
なお、第２の実施形態と同様に、比較結果が一致しない原因が、単に、その瞬間に光信号の伝送速度が変化しただけという可能性もある。そのため、比較結果が一致しない原因が、光信号の伝送速度が変化したためなのか、電圧信号の波形に歪みが生じているためなのかを判断するために、一回の判定だけでは振幅安定信号あるいは振幅不安定信号を送出しないとしてもよい。
【００８１】
すなわち、連続的に複数回、電圧信号の振幅が一定であるか否かの判定を行った上で、いずれの判定においても振幅が不安定であるという判定結果になった場合にのみ、波形に歪みが生じていると判断し、振幅不安定信号を送出するようにしても良い。
【００８２】
なお、本実施形態においては、振幅判定器２０Ｂに判定器２８を設けることとしたが、これに限らない。
【００８３】
すなわち、振幅判定器２０Ｂは判定器２８を備えず、複数のコンパレータ回路２６１〜２６Ｍからそれぞれ比較信号を送出するのみとしても良い。この場合、後に説明する帰還回路制御器３８に、比較信号を受信して、電圧信号の振幅が一定であるか否かを判定する判定回路を設けることとしても良い。
【００８４】
[第４の実施形態]
本発明の第４の実施形態の構成に関して、図１０を用いて説明する。
【００８５】
本実施形態における光受信回路は、伝送路３３から送出される光信号が入力される受光素子３４と、前置増幅器３５と、前置増幅器３５に接続される負帰還回路３６と、振幅判定器３７と、帰還回路制御器３８と、を備えている。
【００８６】
負帰還回路３６は、前置増幅器３５から出力される増幅信号の一部を、前置増幅器３５の入力側に帰還する。
【００８７】
本実施形態における負帰還回路３６は、前置増幅器３５の入力部と出力部に並列に接続された帰還抵抗を有することとする。そのため、本実施形態において、負帰還回路３６の帰還抵抗の帰還抵抗値を上げると、帰還率は減少する。一方、帰還抵抗値を下げると、帰還率は増加する。
【００８８】
また、帰還回路制御器３８は、負帰還回路３６の帰還率の制御を行う。本実施形態における帰還回路制御器３８は、負帰還回路３６の帰還抵抗の帰還抵抗値の制御を行うこととする。
【００８９】
また、振幅判定器３７は、入力信号の振幅をビットごとに監視することにより、入力信号の振幅が一定であるか否かの判定を行う。そして、判定した結果を、帰還回路制御器３８へ送出する。この振幅判定器３７としては、例えば、第２の実施形態あるいは第３の実施形態に記載の、振幅判定器２０Ａあるいは２０Ｂを用いることとしても良い。
【００９０】
また、本実施形態における負帰還回路３６の帰還抵抗の帰還抵抗値は、光受信回路の動作の開始前に所定の初期値に設定されることとしても良いが、特に限定されない。
【００９１】
次に、本実施形態の動作について図１１を用いて説明する。
【００９２】
初めに、光受信回路に電源が投入されると、伝送路３３から送出される光信号が、受光素子３４へ入力される。受光素子３４は、入力された光信号を電流信号に変換し、前置増幅器３５へ送出する。
【００９３】
次に、前置増幅器３５は、増幅信号を、すなわち増幅した電圧信号を、振幅判定器３７へ送出する。ここで、前置増幅器３５は、受光素子から送出された電流信号を電圧信号に変換し、該電圧信号を増幅する機能をもつこととしても良い。あるいは、前置増幅器３５の入力側に、電流電圧変換器を接続しても良い。この場合、電流電圧変換器が、受光素子から送出された電流信号を電圧信号に変換する。そのため、前置増幅器３５は、該電圧信号を増幅するのみの機能を有していれば良い。
【００９４】
次に、振幅判定器３７は、入力された電圧信号の振幅が一定であるか否かを判定する。なお、電圧信号の振幅が一定であるということは、電圧信号の波形に歪みが生じていないこと、すなわち、十分な帯域が得られていることを示す。一方、電圧信号の振幅が一定でないということは、十分な帯域が得られていないため、電圧信号の波形に歪みが生じていることを示す。
【００９５】
従って、電圧信号の振幅が一定である場合には、帯域を減少させて利得を向上させることができる。一方、電圧信号の振幅が一定でない場合には、利得を減少させて帯域を増やす必要がある。
【００９６】
次に、振幅判定器３７が、電圧信号の振幅が一定であると判定した場合の動作について述べる。振幅判定器３７は、電圧信号の振幅が一定であると判定した場合、電圧信号の振幅が一定であることを示す振幅安定信号を帰還回路制御器３８へ送出する。
【００９７】
そして、帰還回路制御器３８は、振幅安定信号を受信すると、負帰還回路３６の帰還抵抗の帰還抵抗値を上げる制御、すなわち、帰還率を減少させる制御を行う。
【００９８】
なお、帰還抵抗値を上げる制御とは、例えば、決められた所定の値だけ上げることとしても良い。あるいは、次に述べる振幅不安定信号を受信するまで、帰還抵抗値を上げ続けるとしても良い。
【００９９】
次に、振幅判定器３７によって、入力された電圧信号の振幅が一定でないと判定された場合の動作について述べる。振幅判定器３７は、電圧信号の振幅が一定でないと判定した場合、振幅が一定でないことを示す振幅不安定信号を帰還回路制御器３８へ送出する。
【０１００】
そして、帰還回路制御器３８は、振幅不安定信号を受信すると、負帰還回路３６の帰還抵抗の帰還抵抗値を下げる制御、すなわち、帰還率を増加させる制御を行う。
【０１０１】
なお、帰還抵抗値を下げる制御とは、決められた所定の値だけ下げることとしても良い。あるいは、振幅安定信号を受信するまで、帰還抵抗値を下げ続けるとしても良い。
【０１０２】
このように、電圧信号の振幅が一定である場合には帰還率を減少させる制御を行い、電圧信号の振幅が一定でない場合には帰還率を増加させる制御を行う。これらの動作を繰り返すことによって、最終的に、光信号の伝送速度に最適な帰還率へと収束させることができる。
【０１０３】
なお、振幅判定器３７から振幅不安定信号が送出された原因、すなわち、振幅が一定でない原因が、電圧信号の波形に歪みが生じているためではなく、単に、その瞬間に光信号の伝送速度が変化したためという場合も考えられる。
【０１０４】
この場合、一時的に電圧信号の振幅に変化が生じるものの、変化後の電圧信号の波形に歪みがなければ、再び電圧信号の振幅は一定になるはずである。
【０１０５】
そのため、振幅判定器３７が、電圧信号の振幅が一定であるか否かの判定を連続的に行うことによって、振幅不安定信号はすぐに振幅安定信号に切り替わることになり、帰還率を増加させ続けることはない。
【０１０６】
あるいは、電圧信号の伝送速度が変化しただけなのか、電圧信号の波形に歪みが生じているのかを判断するために、振幅判定器３７は、１回の判定だけでは振幅安定信号あるいは振幅不安定信号を送出しないとしてもよい。
【０１０７】
すなわち、連続的に複数回、電圧信号の振幅が一定であるか否かの判定を行った上で、いずれの判定においても振幅が不安定であるという判定結果になった場合にのみ、波形に歪みが生じていると判断し、振幅不安定信号を送出するようにしても良い。
【０１０８】
あるいは、帰還回路制御器３８は、振幅不安定信号を複数回、連続で受信した場合にのみ、帰還率を増加させる制御を行うとしても良い。
【０１０９】
以上のように、本実施形態の光受信回路は、前置増幅器３５から送出された電圧信号に、波形の歪みが生じている場合であっても、光信号の伝送速度に最適な帰還率に収束させることが可能となる。
【０１１０】
また、途中で光信号の伝送速度が変更した場合であっても、変更後の伝送速度に最適な帰還率へと収束させることができる。
【０１１１】
更に、最適な帰還率に収束させるために必要な振幅判定器は、一つの光受信回路に対して一つで良いため、簡易な構成とすることが可能となる。
【０１１２】
なお、本実施形態においては、振幅判定器３７から振幅安定信号あるいは振幅不安定信号が送出されるとしたが、これに限らない。
【０１１３】
すなわち、第２の実施形態及び第３の実施形態で述べたように、振幅判定器３７からは、電圧信号の振幅の検出結果あるいは比較結果を送出するのみとしてもよい。この場合、帰還回路制御器３８が、電圧信号の振幅が一定であるかを判定する。
【０１１４】
また、本実施形態における負帰還回路３６は、前置増幅器３５の入力部と出力部に並列に接続された帰還抵抗を備えるとしたが、これに限らない。例えば、複数の並列抵抗や直列抵抗から構成される負帰還回路を用いても良い。
【０１１５】
[第５の実施形態]
次に、本発明の第５の実施形態の構成を図１２に示す。
【０１１６】
本実施形態における光受信回路は、第４の実施形態における光受信回路の構成に加えて、ＬＯＳ発生器３９を有する。
【０１１７】
ＬＯＳ発生器３９とは、所定の条件を満たさない場合にアラームを発生するアラーム発生器の一種である。本実施形態におけるＬＯＳ発生器３９には、前置増幅器３５から送出された電圧信号が入力される。そして、入力された電圧信号の振幅が一定値未満である場合、ＬＯＳ発生器３９は、アラームとしてＬＯＳアラームを送出する。
【０１１８】
次に、本実施形態における光受信回路の動作について、図１３を用いて説明する。
【０１１９】
初めに、光受信回路に電源が投入されると、伝送路３３から送出された光信号が、受光素子３４へ入力される。受光素子３４は、入力された光信号を電流信号に変換し、前置増幅器３５へ送出する。
【０１２０】
次に、前置増幅器３５は、増幅した電圧信号をＬＯＳ発生器３９へ送出する。なお、本実施形態における前置増幅器３５も、第４の実施形態と同様、電流信号を電圧信号に変換し、増幅する機能を有することとしても良い。あるいは、前置増幅器３５の入力側に電流電圧変換器を備えることとし、前置増幅器３５は電圧信号を増幅するのみとしても良い。
【０１２１】
ここで、ＬＯＳ発生器３９は、入力された電圧信号の振幅が、所定の値未満である場合に、ＬＯＳアラームを発生する。所定の値とは、振幅判定器３７が検出できる最小の振幅の値、あるいはそれよりも多少大きい値とする。すなわち、ＬＯＳ発生器３９は、利得不足によって振幅が小さくなり、正しい伝送速度を算出できない場合において、ＬＯＳアラームを送出するよう設定される。
【０１２２】
次に、ＬＯＳ発生器３９からＬＯＳアラームが送出された場合、及び送出されない場合について、その後の動作をそれぞれ説明する。
【０１２３】
まず、ＬＯＳ発生器３９からＬＯＳアラームが送出されない場合、前置増幅器３５から送出された電圧信号は、振幅判定器３７が検出できる振幅を有しているということになる。そのため、振幅判定器３７は、電圧信号の振幅が一定であるか否かの判定を行う。
【０１２４】
そして、電圧信号の振幅が一定であると判定されると、振幅判定器３７は振幅安定信号を送出する。帰還回路制御器３８は、振幅安定信号を受信すると、帰還抵抗値を上げる制御、すなわち、帰還率を減少させる制御を行う。
【０１２５】
一方、電圧信号の振幅が一定でないと判定されると、振幅判定器３７は振幅不安定信号を送出する。帰還回路制御器３８は、振幅不安定信号を受信すると、帰還抵抗値を下げる制御、すなわち、帰還率を増加させる制御を行う。
【０１２６】
次に、ＬＯＳ発生器３９からＬＯＳアラームが送出された場合について述べる。ＬＯＳ発生器３９からＬＯＳアラームが送出された場合、振幅判定器３７と帰還回路制御器３８はそれぞれ、ＬＯＳアラームを受信する。
【０１２７】
振幅判定器３７は、ＬＯＳアラームを受信すると、電圧信号の振幅が一定であるか否かの判定を停止する。ＬＯＳアラームが送出されているということは、振幅判定器３７が、利得不足によって電圧信号の振幅を正しく検出できない状態であるためである。
【０１２８】
また、帰還回路制御器３８は、ＬＯＳアラームを受信すると、負帰還回路３６の帰還抵抗の帰還抵抗値を上げる制御、すなわち、帰還率を減少させる制御を行う。帰還抵抗値を上げる制御とは、例えば、決められた値だけ上げることとしても良い。あるいは、ＬＯＳアラームの送出が停止するまで、帰還抵抗値を上げ続けるとしても良い。
【０１２９】
そして、ＬＯＳアラームが送出されなくなると、振幅判定器３７は、電圧信号の振幅が一定であるか否かの判定を行う。また、帰還回路制御器３８は、振幅判定器３７から送出された振幅安定信号あるいは振幅不安定信号に基づいて、帰還抵抗値の制御を行う。
【０１３０】
これらの動作を繰り返し行うことにより、最終的に、光信号の伝送速度に最適な帰還率に収束させることが可能となる。
【０１３１】
また、本実施形態においては、振幅判定器３７が電圧信号の振幅の検出を行う前に、電圧信号の振幅が、振幅判定器３７が検出可能な振幅となるよう、帰還抵抗値を制御している。そのため、前置増幅器３５から送出した電圧信号の振幅が、図３（Ａ）のように小さくなっている場合においても、光信号の伝送速度に最適な帰還率に収束させることが可能となる。
【０１３２】
以上のように、本実施形態においては、第４の実施形態による効果に加えて、前置増幅器３５から送出される電圧信号の振幅が、利得不足により小さくなってしまっている場合であっても、光信号の伝送速度に最適な帰還率へと収束させることができる。
【０１３３】
[第６の実施形態]
次に、本発明の第６の実施形態について説明する。
【０１３４】
市場において一般に使用されるＬＯＳ発生器は、特許文献２に記載されているアラーム回路８と同様に、ＬＯＳアラームを発生する電圧信号の振幅の上限値のみが設定されているものが多い。すなわち、ＬＯＳアラームを発生する下限値が設定されていないため、ＬＯＳ発生器に電圧信号が入力されない場合においても、回路の電源が入っていれば、ＬＯＳアラームを出力する構成になっているものが多い。
【０１３５】
このようにＬＯＳアラーム発生の下限値が設定されていないＬＯＳ発生器を、本実施形態にそのまま用いると、光信号の入力がない場合においても、帰還率が制御されてしまうこととなる。
【０１３６】
そのため、ＬＯＳ発生器の設定を変更して下限値を設けるようにしても良いが、設定変更にはコストがかかるため、汎用性に欠ける。
【０１３７】
そこで、本実施形態においては、通常使用されるＬＯＳ発生器の設定を変更することなく、且つ簡易な構成で、光信号の入力がない場合に帰還率の制御を停止する構成とする。
【０１３８】
本実施形態における光受信回路の構成について、図１４を用いて説明する。本実施形態における光受信回路は、第５の実施形態における光受信回路の構成に加えて、受光電流モニタ４０を有する。
【０１３９】
受光電流モニタ４０は、受光素子３４で発生する電流信号の有無を検出し、その検出結果を帰還回路制御器３８へ送出する。
【０１４０】
次に、本実施形態における光受信回路の動作について、図１５を用いて説明する。
【０１４１】
初めに、光受信回路に電源が投入され、伝送路３３から送出された光信号が、受光素子３４へ入力される。受光素子３４は、入力された光信号を電流信号に変換する。そして、受光素子３４は電流信号を送出する。
【０１４２】
ここで、受光電流モニタ４０は、受光素子３４より送出された電流信号の有無、すなわち電気信号の有無の検出を行う。そして、受光電流モニタ４０は、該検出の結果を帰還回路制御器３８へ送出する。
【０１４３】
もし、受光素子３４へ光信号が入力されておらず、電流信号が発生していなければ、受光電流モニタ４０は、電気信号がないことを示す検出結果を送出する。すなわち、受光電流モニタ４０より、電気信号がないことを示す検出結果が送出された場合は、光受信回路への光信号の入力が停止しているということになる。
【０１４４】
そのため、帰還回路制御器３８は、電気信号がないことを示す検出結果を受信すると、負帰還回路３６の帰還率の制御を停止する。
【０１４５】
一方、受光電流モニタ４０より、電気信号があることを示す検出結果が送出された場合は、光受信回路に光信号が入力していることになる。
【０１４６】
そのため、帰還回路制御器３８は、電気信号があることを示す検出結果を受信すると、第４の実施形態と同様に、ＬＯＳアラーム、振幅安定信号、または振幅不安定信号に基づいて、負帰還回路３６の帰還率の制御を行う。
【０１４７】
また、帰還回路制御器３８は、ＬＯＳアラーム、振幅安定信号、または振幅不安定信号を受信した場合であっても、受光電流モニタ４０より、電気信号がないことを示す検出結果を受信すると、帰還率の制御を停止する。
【０１４８】
そして、帰還回路制御器３８は、受光電流モニタ４０より、電気信号があることを示す検出結果を受信すると、再び、ＬＯＳアラーム、振幅安定信号、または振幅不安定信号に基づいて帰還率の制御を開始する。
【０１４９】
以上のように、本実施形態においては、第５の実施形態による効果に加えて、ＬＯＳ発生器３９の設定を変更することなく、且つ簡易な構成で、光信号の入力が停止している間、不適切に帰還率を制御してしまうことを防止することができる。
【符号の説明】
【０１５０】
１  受光素子
２  反転増幅器
３  帰還抵抗
４  可変等化フィルター
５  増幅器
６  伝送速度検出／制御回路
７  ビットレート判定回路
８  アラーム回路
９  第一の積分回路
１０  ヒステリシス比較回路
１１  第二の積分回路
１２  比較回路
１３  参照電位入力端子
１４  出力端子
２０、２０Ａ、２０Ｂ  振幅判定器
２１  検出部
２２  判定部
２３  送出部
２４  パルス発生器
２５  振幅検出器
２６１〜２６Ｍ  コンパレータ回路
２７  参照電気生成回路
２８  判定器
２９１〜２９Ｍ  抵抗
３０  パルス発生器
３１  正側基準電圧
３２  負側基準電圧
３３  伝送路
３４  受光素子
３５  前置増幅器
３６  負帰還回路
３７  振幅判定器
３８  帰還回路制御器
３９  ＬＯＳ発生器
４０  受光電流モニタ
【図１】
2011023936.tif 000003
【図２】
2011023936.tif 000004
【図３】
2011023936.tif 000005
【図４】
2011023936.tif 000006
【図５】
2011023936.tif 000007
【図６】
2011023936.tif 000008
【図７】
2011023936.tif 000009
【図８】
2011023936.tif 000010
【図９】
2011023936.tif 000011
【図１０】
2011023936.tif 000012
【図１１】
2011023936.tif 000013
【図１２】
2011023936.tif 000014
【図１３】
2011023936.tif 000015
【図１４】
2011023936.tif 000016
【図１５】
2011023936.tif 000017